(57)【特許請求の範囲】
【請求項１】
ステージ上に載置された資料などの被写体を撮像し、撮像された前記被写体の映像をモニタ，スクリーンなどに投影して提示する資料提供装置において、
前記ステージ上に載置された資料などの被写体を撮像する撮像部と、この撮像部を支持する支持部と、前記ステージ上に設けられ、提示すべき映像を記憶可能とする外部記憶メディアを装填可能とする開口部と、提示すべき映像を外部装置より取込む入力部と、この入力部より取込まれた映像を前記開口部に装着された外部記憶メディアに転送する転送回路と、前記開口部に装着された前記外部記憶メディアに記憶された映像を読み取って出力する出力部とを備えたことを特徴とする資料提供装置。
【請求項２】
前記入力部に取り込まれた映像または前記外部記憶メディアに記憶された提示すべき映像を選択する手段を備えたことを特徴とする請求項１記載の資料提供装置。
【発明の詳細な説明】
【０００１】
【発明の属する技術分野】
本発明は、書類や立体物などの資料をモニタ装置の画面上やプロジェクタ等を介してスクリーン等に映し出すために資料を映像信号へ変換する資料提示装置に関するものである。
【０００２】
【従来の技術】
会議用および講演用として用いられる視聴覚機器として、平板状のステージ上に資料（被写体）を載置し、照明装置で投光しながら上方から撮像して資料（被写体）をモニタ装置の画面に表示させたり、プロジェクタでスクリーンなどに投影させたりする資料提示装置が使用されてきている。
【０００３】
図４は従来の資料提示装置の外観図である。従来の資料提示装置１０１は、資料等の被写体Ｏを載置するためのステージ２を備えている。ステージ２の上方にはＣＣＤ撮像素子を備えた撮像部３が取付アーム４を介して装置本体に設けられている。５ａ，５ｂは被写体Ｏを照明するための照明装置であり、一般には蛍光灯などが使用されている。
【０００４】
図５は従来の資料提示装置のブロック構成図である。従来の資料提示装置は、光学ブロック１１と、撮像回路１２と、映像信号処理回路１３と、エンコーダ１４と、出力端子１５と、制御回路１６と、ＣＰＵ１７と、操作部１８とから構成されている。操作部１８は、ズーム調整ボタン１８ａとフォーカス調整ボタン１８ｂとを備えている。
【０００５】
光学ブロック１１は、光学レンズ，光学フィルタ，ズーム調整機構，フォーカス調整機構，アイリス調整機構等を備え、被写体を撮像回路１２内のＣＣＤ撮像素子に結像させる。撮像回路１２は、ＣＣＤ撮像素子，ＣＣＤ駆動回路，サンプリング回路，前置増幅器等を備え、ＣＣＤ撮像素子に結像された光学情報を映像信号に変換して出力する。映像信号は映像信号処理回路１３へ供給される。光学ブロック１１と撮像回路１２とで、図４に示した撮像部３が構成されている。
【０００６】
映像信号処理回路１３は、撮像回路１２から出力された映像信号に非線形処理，輝度信号処理，色信号処理，画質補正処理等の各種処理を施して、色差信号（またはＲＧＢ信号）を出力する。色差信号（またはＲＧＢ）はエンコーダ１４へ供給される。エンコーダは、色差信号（またはＲＧＢ信号）を複合映像信号に変換して出力端子１５へ出力する。制御回路１６は、各種制御信号，タイミング信号，同期信号等を発生して、各部１１〜１４へ供給する。ＣＰＵ１７は、操作部１８からの操作入力に基づいて資料提示装置の全体動作を制御する。
【０００７】
光学ブロック１１から入射した被写体像は、撮像回路１２内のＣＣＤ撮像素子に結像された後に電気信号へ変換され、サンプリング回路，前置増幅器を介して映像信号として出力される。映像信号処理回路１３は、映像信号に非線形処理，画質補正処理，輝度信号処理，色信号処理（単板ＣＣＤ方式の場合）を施して、色差信号（またはＲＧＢ信号）を出力する。エンコーダ１４は、色差信号（またはＲＧＢ信号）を複合映像信号に変換して出力端子１５へ出力する。制御回路１６は、光学ブロック１１へズーム調整，フォーカス調整等の制御信号を供給するとともに、撮像回路１２，映像信号処理回路１３，エンコーダ１４へタイミング信号および同期信号を供給する。
【０００８】
出力端子１５から出力される複合映像信号をモニタ装置へ供給することで被写体の映像をモニタ装置の画面上に表示させることができる。また、複合映像信号をプロジェクタ装置へ供給することで、被写体の映像をスクリーンへ投影することができる。さらに、複合映像信号を画像入力装置（または画像入力基板）を介してパーソナルコンピュータ等へ入力することで、画像データ処理等を行なうことができる。
【０００９】
図６は従来の他の資料提示装置のブロック構成図である。図６に示す資料提示装置は、被写体の撮像画像をフレームメモリに記憶させておいて、記憶させた画像を出力できるようにしたものである。このため、図６に示す資料提示装置は、図５に示したものに対して、Ａ／Ｄ変換回路１９と、フレームメモリ２０と、Ｄ／Ａ変換回路２１と、出力切換スイッチ回路２２が追加されている。操作部１８には、記録ボタン１８ｃと出力選択ボタン１８ｄとが追加されている。
【００１０】
記録ボタン１８ｃを操作することで、映像信号処理回路１３から出力された映像信号はＡ／Ｄ変換回路１９でデジタル映像信号へ変換され、フレームメモリ２０に記憶される。出力選択ボタン１８ｄを操作することで、フレームメモリ２０に記憶されたデジタル映像信号がＤ／Ａ変換回路２１でアナログ映像信号へ変換され、出力切換スイッチ回路２２を介してエンコーダ１４へ供給され、エンコーダ１４で複合映像信号に変換されて出力端子１５から出力される。
【００１１】
また、従来の資料提示装置は、入力選択ボタンの操作により、装置の入力端子に入力された映像信号と、撮像部で撮像された映像信号が出力切換で切換えられ、選択されて出力端子から外部のモニタ，スクリーンなどに映し出すよう構成されたものも知られている。
【００１２】
【発明が解決しようとする課題】
（１）資料提示装置で撮影した映像をパーソナルコンピュータに取り込む場合従来の資料提示装置の映像出力はアナログ信号であるため、パーソナルコンピュータ側に画像入力装置（画像入力基板）等を接続して、アナログ映像信号をデジタル映像信号へ変換してから取り込む必要がある。このため、機器のセッティングがパーソナルコンピュータの初心者には難しかったり、結線する配線や画像入力装置自体が邪魔であったりするという問題がある。
【００１３】
（２）提示する資料の内容が毎回決まっている場合
従来の資料提示装置は撮像部で撮影した映像をそのまま出力するため、提示する被写体を変更する場合は、その都度ステージ上の被写体を交換する必要がある。  また、一連の流れに沿った資料提示を複数回行なう場合にも、毎回同一の手順で被写体を交換する必要がある。このように、従来の資料提示装置では、被写体となる資料がいつも必要である。
【００１４】
（３）フレームメモリ回路だけ搭載されている資料提示装置の場合
従来の資料提示装置は、フレームメモリの記憶容量によって記録できる画面数が制限されている。このため、記録できる画面数が１または数画面である。また、資料提示装置の電源を切断すると、記録内容が消去されてしまう。
【００１５】
この発明はこのような課題を解決するためなされたもので、撮像部で撮像した映像を外部記憶メディアへ記憶できるようにするとともに、外部記憶メディアに記憶された画像を出力できるようにすることで、パーソナルコンピュータ等への画像データの供給を簡易に行なえるようにし、また、記録できる画像数の制約をなくすとともに画像の長期記録を可能にし、さらに、事前に資料を外部記憶メディアに記憶させておくことで資料を準備しなくても資料提示を可能にし、また、一連の流れに沿った資料提示を容易に行なえるようにした資料提示装置を提供することを目的とする。
【００１６】
【課題を解決するための手段】
前記課題を解決するためこの発明に係る資料提示装置は、ステージ上に載置された資料などの被写体を撮像する撮像部と、この撮像部を支持する支持部と、ステージ上に設けられ、提示すべき映像を記憶可能とする外部記憶メディアを装填可能とする開口部と、提示すべき映像を外部装置より取込む入力部と、この入力部より取込まれた映像を開口部に装着された外部記憶メディアに転送する転送回路と、開口部に装着された外部記憶メディアに記憶された映像を読み取って出力する出力部とを備えたことを特徴とする。
【００１７】
この発明に係る資料提示装置は、記憶回路とリムーバブル型（装着・脱着が可能な可搬型）の外部記憶メディアとの間でデジタル映像信号を転送できる構成としたので、撮像部で撮像した被写体のデジタル画像を外部記憶メディアを介してパーソナルコンピュータ等へ供給することができる。また、記憶回路の記憶容量に制約されることなく多数枚の画像を外部記憶メディアに記憶させることができる。よって、事前に被写体の撮像を行なって外部記憶メディアに記憶させておけば、それ以降は被写体なしで資料提示を行える。よって、一連の流れに沿った資料提示も容易となる。
【００１８】
【発明の実施の形態】
以下この発明の実施の形態を添付図面に基づいて説明する。図１はこの発明に係る資料提示装置の外観図である。この発明に係る資料提示装置１は、図４に示した従来の資料提示装置１０１に対して、カード型の外部記憶メディア１０の挿入口６を設けてなる。さらに、この発明に係る資料提示装置１は、操作・表示部７に、記録ボタン７ａ、ページ順送りボタン７ｂ，ページ逆送りボタン７ｃ，出力選択ボタン７ｄ、ならびに、各表示器８ａ，８ｂを追加してなる。
【００１９】
外部記憶メディア１０を挿入口６へ装着した状態で、記録ボタン７ａを押すと１フレームの静止画が外部記憶メディア１０に記録される。外部記憶メディア１０への記録動作中はその旨を表示器８ａで表示する。ページ順送りボタン７ｂまたはページ逆送りボタン７ｃを押すと、外部記憶メディア１０に記録されている画像データが読み出される。読み出すページは表示器８ｂで表示し、読み出し中はその旨を表示器８ａで表示する。出力選択ボタン７ｄを押すと外部記憶メディア１０から読み出した静止画の映像信号が出力される。本実施の形態では、表示器８ｂを２桁の７セグメント発光ダイオードを用いて構成し、最大９９ページ（９９画像）までの指定ができるようにしている。最大ページ数は、外部記憶メディア１０の記録容量によって制約される。記録容量の大きな外部記憶メディア１０を用いて、９９ページ以上の画像を記録できるようにした場合は、それに応じてページ表示用の表示器８ｂを構成する。
【００２０】
出力された映像信号を図示しないモニタ装置やプロジェクタ装置へ供給することで、モニタ装置の画面上に表示させたり、スクリーンに投影表示させることができる。また、静止画を記録した外部記憶メディア１０を図示しないパーソナルコンピュータのＰＣカードスロットへ装着して、パーソナルコンピュータで画像データの処理を行なうことができる。さらに、複数の静止画を記録した外部記録メディア１０を用い、各ページボタン７ｂ，７ｃを操作することで、一連の静止画をモニタ装置の画面上に順次表示させたり、プロジェクタ装置を介してスクリーン上に順次表示させることができる。
【００２１】
図２はこの発明に係る資料提示装置のブロック構成図である。この発明に係る資料提示装置１は、図５に示した従来の他の資料提示装置に対して、変換回路２３と、逆変換回路２４と、転送回路２５と、クロック発生回路２６と、転送制御回路２７と、圧縮伸長回路２８とが追加されてなる。全体動作を制御するＣＰＵ１７には、ズーム調整，フォーカス調整ボタン１８ａ，１８ｂの他に、記録，順送り，逆送り，出力選択の各ボタン７ａ〜７ｄ、ならびに、各表示器８ａ，８ｂが接続される。
【００２２】
映像信号処理回路１３から出力される色差信号（またはＲＧＢ信号）は、出力切換スイッチ回路２２の一方の入力端子、変換回路２３へそれぞれ供給される。
変換回路２３は、色差信号をＲＧＢ信号へ変換する。ＲＧＢ信号はＡ／Ｄ変換回路１９へ供給される。なお、映像信号処理回路１３がＲＧＢ信号を出力する構成の場合は、変換回路２３を設けずに映像信号処理回路１３から出力されるＲＧＢ信号をＡ／Ｄ変換回路１９へ直接供給する構成とする。
【００２３】
Ａ／Ｄ変換回路１９は、ＲＧＢ信号（ＲＧＢアナログ信号）をＡ／Ｄ変換してデジタル映像信号（ＲＧＢデジタル信号）を出力する。フレームメモリ２０は、１フレーム分のデジタル映像信号を記憶する。フレームメモリ２０は、半導体メモリを用いて構成している。Ｄ／Ａ変換回路２１は、フレームメモリ２０から読み出されたデジタル映像信号（ＲＧＢデジタル信号）をＤ／Ａ変換してＲＧＢ信号（ＲＧＢアナログ信号）を出力する。
【００２４】
Ｄ／Ａ変換回路２１から出力されたＲＧＢ信号（ＲＧＢアナログ信号）は逆変換回路２４へ供給される。逆変換回路２４は、ＲＧＢ信号（ＲＧＢアナログ信号）を色差信号へ変換する。逆変換回路２４から出力された色差信号は、出力切換スイッチ回路２２を介してエンコーダ１４へ供給される。エンコーダ１４は、出力切換スイッチ回路２２によって選択切換された色差信号（映像信号処理回路１３から出力される色差信号または逆変換回路２４から出力される色差信号）を複合映像信号へ変換して出力端子１５へ出力する。
【００２５】
なお、エンコーダ１４がＲＧＢ信号（ＲＧＢアナログ信号）を複合映像信号へ変換する構成である場合は、逆変換回路２４を設けずにＤ／Ａ変換回路２１から出力されたＲＧＢ信号（ＲＧＢアナログ信号）を出力切換スイッチ回路２２を介してエンコーダ１４へ供給する構成とする。
【００２６】
また、映像信号処理回路１３がデジタル映像信号（ＲＧＢデジタル信号）を出力し、エンコーダ１４がデジタル映像信号（ＲＧＢデジタル信号）を複合映像信号へ変換する構成である場合は、変換回路２３ならびにＡ／Ｄ変換回路１９を設けずに映像信号処理回路１３から出力されるデジタル映像信号をフレームメモリ２０へ直接供給する構成にするとともに、Ｄ／Ａ変換回路２１ならびに逆変換回路２４を設けずにフレームメモリ２０から読み出されたデジタル映像信号を出力切換スイッチ回路２２を介してエンコーダ１４へ供給する構成とする。
【００２７】
さらに、映像信号処理回路１３がデジタル色差信号を出力し、エンコーダ１４がデジタル色差信号を複合映像信号へ変換して出力する構成である場合は、映像信号処理回路１３から出力されたデジタル色差信号を変換回路２３でＲＧＢデジタル信号へ変換してフレームメモリ２０へ供給するとともに、フレームメモリ２０から読み出したＲＧＢデジタル信号を逆変換回路２４でデジタル色差信号へ変換して、出力切換スイッチ回路２２を介してエンコーダ１４へ供給する構成とする。
【００２８】
本実施の形態では、フレームメモリ２０に記憶する映像信号をＲＧＢデジタル信号とする場合の構成例を示しているが、フレームメモリ２０に記憶する映像信号をＲＧＢデジタル信号に限定する必要はなく、フレームメモリ２０に例えばデジタル色差信号を記憶する構成としてもよい。
【００２９】
転送回路２５は、フレームメモリ２０と外部記憶メディア１０との間で画像データの転送を行なう。クロック発生回路２６は、制御回路１６から供給される同期信号に基づいて基準クロックを発生する。基準クロックは転送制御回路２７へ供給される。なお、クロック発生回路２６側で同期信号を生成し、生成した同期信号を撮像回路１２ならびに映像信号処理回路１３側へ供給する構成としてもよい。
【００３０】
圧縮伸長回路２８は、外部記憶メディア１０へ画像データを圧縮して記録する場合、ならびに、外部記憶メディア１０から読み出した圧縮画像データを伸長する場合に、圧縮ならびに伸長動作を行なう。フレームメモリ２０に記録されているＲＧＢデジタル信号を圧縮することなく外部記憶メディア１０へ転送した場合、外部記憶メディア１０に記録された映像信号データはビットマップ形式である。  圧縮伸長回路２８に、例えばＪＰＥＧ形式の圧縮伸長回路を設けることで、外部記憶メディア１０へＪＰＥＧ形式の画像データを記録することができる。画像データの圧縮を行なうことで、外部記憶メディア１０に記憶できる画像枚数を増加させることができる。ＪＰＥＧ形式以外の他のデータ形式で記録再生するようにしてもよい。なお、外部記憶メディア１０へ画像データを圧縮して記録しない場合は、圧縮伸長回路２８は不要である。
【００３１】
外部記憶メディア１０には、ＰＣＭＣＩＡ準拠のＰＣカード、例えばフラッシュＡＴＡカード，ハードディスクカード等を用いることができる。外部記憶メディア１０は、他のメモリカードであってもよい。また、外部記憶メディア１０は、コンパクトフラッシュ（登録商標），スマートメディア（登録商標），フロッピィディスク等の他の記録媒体であってもよい。
【００３２】
転送回路２５は、外部記憶メディア１０が装着されていることを検出すると、メディアアクセス可能情報を転送制御回路２７へ供給する。転送制御回路２７は、メディアアクセス可能情報をＣＰＵ１７へ中継する。ＣＰＵ１７は、メディアアクセス可能情報に基づいて外部記憶メディア１０が装着されていることを認識すると、転送制御回路２７ならびに転送回路２５を介して外部記憶メディア１０の記録データを読み出し、外部記憶メディア１０の全容量、記録済容量、記録画像枚数（記録ページ数）、記録済領域等を認識する。
【００３３】
次に、撮像部３で撮影した映像信号を外部記憶メディア１０へ記録する場合の動作を説明する。操作・表示部７の記録ボタン７ａが押されると、ＣＰＵ１７は記録要求を転送制御回路２７へ供給する。転送制御回路２７は、クロック発生回路２６から供給される基準クロックに基づいてＡ／Ｄ変換タイミング信号を生成してＡ／Ｄ変換回路１９へ供給するとともに、書き込みアドレス信号，書き込みタイミング信号を生成してフレームメモリ２０へ供給する。これにより、撮像部３で撮影した１フレーム分の映像信号がデジタル映像信号（ＲＧＢデジタル信号）へ変換されてフレームメモリ２０に格納される。
【００３４】
ＣＰＵ１７は、１フレーム分の映像をフレームメモリ２０に格納させ後に、外部記憶メディア１０に既に記録されている画像枚数（記録ページ数）に＋１したページ数を含んだファイル名として指定し、転送制御回路２７，転送回路２５を介して外部記憶メディア１０にファイル名を記録させるとともに、外部記録メディア１０の書き込み開始アドレスを含めた書き込み要求を転送制御回路２７へ供給する。転送制御回路２７は、書き込み開始アドレスを転送回路２５へ供給した後に、フレームメモリ２０に対する読み出しアドレス信号，読み出しタイミング信号を生成し、フレームメモリ２０に格納されている１フレーム分のデジタル映像信号（ＲＧＢデジタル信号）を順次読み出す。
【００３５】
転送回路２５は、フレームメモリ２０から読み出されたデジタル映像信号（ＲＧＢデジタル信号）を、指定された書き込みアドレスから外部記憶メディア１０へ順次書き込む。これにより、１フレーム分のデジタル映像信号（ＲＧＢデジタル信号）の転送がなされる。ＣＰＵ１７は、映像データの転送中は、転送中であることを表示器８ａに表示させる。
【００３６】
なお、図示しない設定スイッチ等によって、例えばＪＰＥＧ形式での記録・再生が設定されている場合、転送回路２５は、フレームメモリ２０から読み出されたデジタル映像信号（ＲＧＢデジタル信号）を圧縮伸長回路２８へ供給して、画像データの圧縮処理を行なわせ、圧縮伸長回路２８から出力される圧縮データを外部記憶メディア１０へ記録する。
【００３７】
次に、外部記憶メディア１０に格納されている画像データを読み出して、読み出した画像データを複合映像信号へ変換して出力する動作について説明する。各ページ送りボタン７ｂ，７ｃの操作によってページが指定されると、ＣＰＵ１７は、転送制御回路２７ならびに転送回路２５を介して外部記憶メディア１０から該当するページのファイル情報と映像信号データを読み出させるとともに、読み出した映像信号データをフレームメモリ２０へ書き込ませる。ＣＰＵ１７は、データ転送中は転送中であることを表示器８ａに表示させる。
【００３８】
なお、読み出したファイル情報によって、例えばＪＰＥＧ形式での記録・再生が設定されている場合、転送回路２５は、外部記憶メディア１０から読み出した圧縮データを圧縮伸長回路２８へ供給して、画像データの伸長処理を行なわせ、圧縮伸長回路２８から出力される伸長されたデジタル映像信号（ＲＧＢデジタル信号）をフレームメモリ２０へ書き込む。
【００３９】
ＣＰＵ１７は、出力選択ボタン７ｄが操作されたことを検出すると、制御回路１６を介して出力選択スイッチ回路２２を図示実線側へ切り替えさせる。また、ＣＰＵ１７は、転送制御回路２７を介してフレームメモリ２０からデジタル映像信号（ＲＧＢデジタル信号）を所定の周期（例えば毎秒３０フレーム）で繰り返し読み出させるとともに、デジタル映像信号（ＲＧＢデジタル信号）の読み出しに同期したＤ／Ａ変換タイミング信号をＤ／Ａ変換回路２１へ供給させて、Ｄ／Ａ変換回路２１からＲＧＢアナログ信号を出力させる。ＲＧＢアナログ信号は、逆変換回路２４で色差信号へ変換され、出力スイッチ回路２２を介してエンコーダ１４へ供給され、エンコーダ１４で複合映像信号へ変換され、出力端子１５から出力される。これにより、外部記憶メディア１０から読み出した画像データを静止画像として図示しないモニタ装置の画面上に表示させたり、プロジェクタを介してスクリーンに投影表示させたりすることできる。
【００４０】
図３はこの発明に係る資料提示装置の別実施の形態ブロック構成図である。
図３において、入力端子３０，出力切換スイッチ回路３１，デコーダ３２，切換スイッチ回路３３、切換スイッチ回路３４および操作・表示部７に入力選択ボタン７ｅを付加した点が図２のブロック構成図と異なる。
【００４１】
図３において、入力端子３０に供給された映像信号（例えば、ＣＶＴＲ，ＴＶ映像等）はデコーダ３２を介して同期信号とＲＧＢ信号に変換され、入力選択ボタン７ｅの操作により、同期信号は切換スイッチ３３（破線接続表示）を介してクロック発生回路２６に供給される。一方、ＲＧＢ信号は切換スイッチ３４（破線接続表示）を介してＡ／Ｄ変換回路１９に供給される。以降の外部記憶メディア１０への記録、再生の詳細は図２で説明したものと同じである。
このように、入力端子３０に供給される任意の映像信号を外部記憶メディア１０に記憶させることができる。
【００４２】
【発明の効果】
以上説明したようにこの発明に係る資料提示装置は、記憶回路とリムーバブル型（装着・脱着が可能な可搬型）の外部記憶メディアとの間でデジタル映像信号を転送できる構成としたので、撮像部で撮像した被写体のデジタル画像を外部記憶メディアを介してパーソナルコンピュータ等へ供給することができる。また、記憶回路の記憶容量に制約されることなく多数枚の画像を外部記憶メディアに記憶させることができる。よって、事前に被写体の撮像を行なって外部記憶メディアに記憶させておけば、それ以降は被写体なしで資料提示を行える。よって、一連の流れに沿った資料提示も容易となる。
【図面の簡単な説明】
【図１】この発明に係る資料提示装置の外観図
【図２】この発明に係る資料提示装置のブロック構成図
【図３】この発明に係る資料提示装置の別実施の形態ブロック構成図
【図４】従来の資料提示装置の外観図
【図５】従来の資料提示装置のブロック構成図
【図６】従来の他の資料提示装置のブロック構成図
【符号の説明】
１…資料提示装置、２…ステージ、３…撮像部、４…取付アーム、５ａ，５ｂ…照明装置、６…外部記憶メディアの挿入口、７…操作・表示部、７ａ…記録ボタン、７ｂ…ページ順送りボタン、７ｃ…ページ逆送りボタン、７ｄ…記録ボタン、８ａ…転送状態の表示器、８ｂ…ページ情報の表示器、１０…外部記憶メディア、１１…撮像部を構成する光学ブロック、１２…撮像部を構成する撮像回路、１３…映像信号処理回路、１４…エンコーダ、１５…出力端子、１６…制御回路、１７…ＣＰＵ、１９…Ａ／Ｄ変換回路、２０…フレームメモリ（デジタル化した信号の少なくとも１フレーム分を記憶する記憶回路）、２１…Ｄ／Ａ変換回路、２２…出力切換スイッチ回路、２３…変換回路、２４…逆変換回路、２５…転送回路、２６…クロック発生回路、２７…転送制御回路、２８…圧縮伸長回路、Ｏ…被写体。
【図１】
0003603583.tif 000002
【図２】
0003603583.tif 000003
【図３】
0003603583.tif 000004
【図４】
0003603583.tif 000005
【図５】
0003603583.tif 000006
【図６】
0003603583.tif 000007